(57)【要約】【課題】タッチ操作とフリック操作のどちらの場合においても、操作者の操作に応じて適切なアイコン移動が行われるタッチパネル装置を提供する。【解決手段】操作者が操作を行う操作部３と機能４の表示を行う表示部２とを備え、操作部３には操作者の操作を受け付けない不感帯１０を有するタッチパネル装置１において、操作部３への操作として、指を接触させることによるタッチ操作と指を接触させた状態で移動させることによるフリック操作とを検出する操作検出部を有しており、操作検出部は不感帯１０への接触によるタッチ操作の場合にはこれを受け付けず、不感帯１０への接触によるフリック操作の場合にはこれを受け付ける構成とした。【選択図】図１
2017174293.tif 000002
【特許請求の範囲】
【請求項１】
操作者が操作を行う操作部と機能の表示を行う表示部とを備え、前記操作部には操作者の操作を受け付けない不感帯を有するタッチパネル装置において、
前記操作部への操作として、指を接触させることによるタッチ操作と指を接触させた状態で移動させることによるフリック操作とを検出する操作検出部を有しており、前記操作検出部は前記不感帯への接触による前記タッチ操作の場合にはこれを受け付けず、前記不感帯への接触による前記フリック操作の場合にはこれを受け付けることを特徴とするタッチパネル装置。
【請求項２】
請求項１記載のタッチパネル装置において、
前記操作検出部は、前記フリック操作を検出した場合には該操作が前記不感帯から開始された場合であってもこれを受け付けることを特徴とするタッチパネル装置。
【請求項３】
請求項１または２記載のタッチパネル装置において、
前記不感帯は一対の線分が交差して形成されており、前記不感帯が交差する部位では他の部位に比して該不感帯の幅を大きくすることを特徴とするタッチパネル装置。
【請求項４】
請求項１または２記載のタッチパネル装置において、
前記表示部は前記機能の表示を変更可能に設定されており、前記機能の表示が変更された場合には該機能の境界領域に応じて前記不感帯の位置を変化させることを特徴とするタッチパネル装置。
【発明の詳細な説明】
【技術分野】
【０００１】
本発明は、タッチパネル装置に関する。
【背景技術】
【０００２】
カーナビゲーションシステム等の表示装置において、操作者の接触により入力を検知するタッチパネル装置が広く知られ用いられている。このタッチパネル装置におけるリモート操作では、操作画面に指が触れた瞬間に操作を反映するディスプレイ画面に操作が反映され、指の動作に応じて操作が変化する。
【０００３】
近年ではディスプレイ画面に様々な情報が表示され、この多数表示されたメニューの中から操作者に必要な機能を選択させる構成が採用されており、操作者がタッチ操作やフリック操作により機能を選択している。このとき、ディスプレイ画面が多様化していることから、操作者が操作に手間取ってしまうという問題点を解決すべく、操作手段を複数の分割領域に分け、各分割領域間の境界部に非認識領域である不感帯を設ける技術が知られている（例えば「特許文献１」参照）。
【先行技術文献】
【特許文献】
【０００４】
【特許文献１】特開２００３−１７３２３９号公報
【発明の概要】
【発明が解決しようとする課題】
【０００５】
上述した技術では、操作者が操作方向に注意を払うことなく適切な操作が行われる。しかしながら、通常の操作にはタッチ操作とフリック操作との２種類が存在し、タッチ操作の場合に不感帯を触っても関知しない構成において、フリック操作が不感帯を含んで行われた際に関知しない場合には、操作が適切に行われずに誤操作となってしまうという問題点がある。
本発明は上述の問題点を解決し、タッチ操作とフリック操作のどちらの場合においても、操作者の操作に応じて適切な操作が行われるタッチパネル装置の提供を目的とする。
【課題を解決するための手段】
【０００６】
請求項１記載の発明は、操作者が操作を行う操作部と機能の表示を行う表示部とを備え、前記操作部には操作者の操作を受け付けない不感帯を有するタッチパネル装置において、前記操作部への操作として、指を接触させることによるタッチ操作と指を接触させた状態で移動させることによるフリック操作とを検出する操作検出部を有しており、前記操作検出部は前記不感帯への接触による前記タッチ操作の場合にはこれを受け付けず、前記不感帯への接触による前記フリック操作の場合にはこれを受け付けることを特徴とする。
【０００７】
請求項２記載の発明は、請求項１記載のタッチパネル装置において、さらに前記操作検出部は、前記フリック操作を検出した場合には該操作が前記不感帯から開始された場合であってもこれを受け付けることを特徴とする。
【０００８】
請求項３記載の発明は、請求項１または２記載のタッチパネル装置において、さらに前記不感帯は一対の線分が交差して形成されており、前記不感帯が交差する部位では他の部位に比して該不感帯の幅を大きくすることを特徴とする。
【０００９】
請求項４記載の発明は、請求項１または２記載のタッチパネル装置において、さらに前記表示部は前記機能の表示を変更可能に設定されており、前記機能の表示が変更された場合には該機能の境界領域に応じて前記不感帯の位置を変化させることを特徴とする。
【発明の効果】
【００１０】
本発明によれば、タッチ操作の場合には不感帯を含む曖昧な操作は受け付けられず、フリック操作の場合には不感帯を含む操作であっても受け付けられ、適切な操作が行われるタッチパネル装置を提供することができる。
【図面の簡単な説明】
【００１１】
【図１】本発明の第１の実施形態を適用したタッチパネル装置の概略図である。
【図２】本発明の第１の実施形態に用いられるタッチパネル装置を車内に搭載した状態を示す概略図である。
【図３】本発明の一実施形態に適用可能な操作部の概略図である。
【図４】本発明の第１の実施形態に用いられる操作部の概略図である。
【図５】本発明の第２の実施形態に用いられる操作部の概略図である。
【図６】本発明の第３の実施形態に用いられるタッチパネル装置の概略図である。
【図７】本発明の第３の実施形態の変形例に用いられるタッチパネル装置の概略図である。
【発明を実施するための形態】
【００１２】
図１は、本発明の第１の実施形態を採用した車両のタッチパネル装置を示している。同図においてタッチパネル装置１は、複数の機能４を表示する表示部２と、操作者によって操作が行われる操作部３とを有しており、例えば表示部２にはナビゲーションシステムの画面を表示している。タッチパネル装置１は、図２に示すように、車両５の例えば車両の車室１４内に互いに別体で離間して設けられている。
【００１３】
各機能４にはそれぞれ「Ａ」〜「Ｊ」の表示がなされており、具体的には、例えば「オーディオ」、「電話」、「時計」、「走行情報」等が表示されている。操作者は、操作部３の操作により、表示させたい機能４を選択して決定する。機能４の選択は、操作部３に対して指を接触させた状態で移動させることによるフリック操作によって行われ、機能４の決定は、操作部３に対して接触させた指を押し込む押し込み操作によって行われる。
【００１４】
ここで、本実施形態におけるタッチ操作について説明する。操作部３を操作者が指で触れることにより、その触れた領域に応じて表示部２における選択部位が移動する。例えば、操作部３を図３に示すように４個の領域に分割し、指が触れた位置をタッチパネル装置１が認識してその方向に選択部位が移動する。例えば、図３において符号６で示す位置を指で触れると選択部位は現在の位置から右に所定量移動し、符号７で示す位置を指で触れると選択部位は現在の位置から左に所定量移動する。そして、上下左右の各領域を区別すべく十字形状の不感帯８が設けられている。不感帯８は所定の幅を有するように構成されており、この不感帯８をタッチ操作してもタッチパネル装置１はこれを受け付けないように構成されている。
【００１５】
しかし、図３に示すような十字形状の不感帯８では、符号９で示す位置が触られた際には右なのか上なのかの区別が付きにくい。そこで本実施形態では、図４に示すように各対角線を結ぶＸ字形状に形成された不感帯１０を採用している。この不感帯１０によれば、操作者がどの位置を指で触れても上下左右を明確に区別することができ、操作を確実に行うことができる。
【００１６】
図４に示す操作部３において、操作者が不感帯１０に触れたタッチ操作は受け付けられない。しかし、不感帯１０を含むフリック操作は受け付けられ、タッチパネル装置１は表示部２のページ切り替えを行う。また、不感帯１０から始められたフリック操作も受け付けられる。ここで、タッチ操作かフリック操作かの判別は、タッチパネル装置１の内部に設けられたＣＰＵ、ＲＯＭ、ＲＡＭ等を有する周知のマイクロコンピュータからなる、操作検出部として機能する制御手段１１によって行われる。
【００１７】
制御手段１１は、先ず触れられた指の移動距離を判定し、所定時間内に指が移動していない場合にはタッチ操作であると判断する。所定時間内に指が移動している場合には、次に制御手段１１は指の移動速度を判定し、指が所定の速度以上で移動している場合にはフリック操作であると判断し、それ以外の場合にはタッチ操作であると判断する。
【００１８】
上述の構成によれば、制御手段１１は、不感帯１０への接触によるタッチ操作の場合にはこれを受け付けず、不感帯１０への接触によるフリック操作の場合にはこれを受け付けるので、タッチ操作の場合には不感帯１０を含む曖昧な操作は受け付けられず、フリック操作の場合には不感帯１０を含む操作であっても受け付けられ、適切な操作が行われるタッチパネル装置１を提供することができる。
【００１９】
図５は、本発明の第２の実施形態に用いられる操作部１２を示している。この操作部１２は、不感帯１０に代えて不感帯１３を用いている点においてのみ操作部３と相違しており、他の構成は同一である。
不感帯１３は、不感帯１０と同様に各対角線を結ぶＸ字形状に形成されており、Ｘ字形状の交差部位における幅が他の部位における幅よりも大きくなるように構成されている。
この構成とすることにより、指の接触位置が一番判別しにくい各線分の交差部を不感帯１３として除外することができ、誤操作及び誤検知の発生をさらに抑制することで操作性が向上したタッチパネル装置を提供することができる。
【００２０】
図６は、本発明の第３の実施形態を示している。この第３の実施形態は、図１に示したタッチパネル装置１において、表示部２の表示が図１に示した状態から操作部３でのフリック操作によってページが切り替えられた状態を示している。このページでは、表示部２には「Ａ」〜「Ｅ」までの表示を有する各機能４が横方向に一列配置されている。このとき、操作部３では図４のようにＸ字形状を呈していた不感帯１０が、図６に示すように縦一本線の不感帯１５に変更される。
【００２１】
図７は、本発明の第３の実施形態の変形例を示している。この変形例は、図１に示したタッチパネル装置１において、表示部２の表示が図１に示した状態から操作部３でのフリック操作によってページが切り替えられた状態を示している。このページでは、表示部２には「Ａ」〜「Ｄ」までの表示を有する各機能４が縦方向に一列配置されている。このとき、操作部３では図４のようにＸ字形状を呈していた不感帯１０が、図７に示すように横一本線の不感帯１６に変更される。
【００２２】
上述したように、第３の実施形態及びその変形例によれば、機能４の表示が変更された場合に機能４の境界領域に応じて不感帯１５，１６の位置を変化させるので、表示部２に表示された機能４の位置がどのように変化しようとも、操作者による操作部３の操作性を格段に向上することができ、使い勝手の良好なタッチパネル装置を提供することができる。
【００２３】
以上、本発明の好ましい実施の形態について説明したが、本発明は上述した特定の実施形態に限定されるものではなく、上述の説明で特に限定していない限り、特許請求の範囲に記載された本発明の趣旨の範囲内において、種々の変形・変更が可能である。本発明の実施の形態に記載された効果は本発明から生じる最も好適な効果を列挙したに過ぎず、本発明による効果は本発明の実施の形態に記載されたものに限定されるものではない。
【符号の説明】
【００２４】
１・・・タッチパネル装置、２・・・表示部、３，１２・・・操作部、４・・・機能、１０，１３，１５，１６・・・不感帯、１１・・・操作検出部（制御手段）
【図１】
2017174293.tif 000003
【図２】
2017174293.tif 000004
【図３】
2017174293.tif 000005
【図４】
2017174293.tif 000006
【図５】
2017174293.tif 000007
【図６】
2017174293.tif 000008
【図７】
2017174293.tif 000009